(57)【要約】【課題】表示部を備えた着脱可能なオプション装置と、プリンターにおいてユーザに対してどの表示を確認すればよいかを表示し、明確にすることでユーザビリティーの向上をはかる。【解決手段】表示部を備えた着脱可能なオプション装置とプリンターにおいて、オプション装置が装着されたときにはオプション装置の表示内容とプリンターの表示内容を同じ表示にする。またはプリンターの表示を見ればよいかオプション装置の表示をみればよいかを表示する。【選択図】        図１
2004312096.tif 000002
【特許請求の範囲】
【請求項１】
表示部を備えた着脱可能な原稿画像を読み取る画像読み取り装置と、読み取った原稿の画像を記録媒体へ記録する、表示装置を備えた画像記録装置において、画像読み取り装置が装着された場合には画像記録装置の表示内容を変えることを特徴とする画像記録装置。
【請求項２】
画像読み取り装置の表示部の表示内容と画像記録装置の表示部の表示内容を同内容にすることを特徴とする請求項１の画像記録装置。
【請求項３】
画像読み取り装置の表示部の表示内容と画像記録装置の表示部の表示内容、どちらを確認すればよいかを表示することを特徴とする請求項１の画像記録装置。
【発明の詳細な説明】
【０００１】
【発明の属する技術分野】
本発明は表示部を備えた着脱式可能なイメージスキャナなどの画像読み取り装置を備えた表示部付き画像記録装置の表示内容制御方法に関するものである。
【０００２】
【従来の技術】
この種のプリンター等の画像記録装置においては、オプション装置として着脱可能なイメージスキャナ等の画像読み取り装置等が装着される場合があり、これらの画像読み取り装置には表示部が備えられ、また、画像記録装置にも表示部が備えられており、使用ユーザがこれらの表示内容を確認し、イメージスキャナ、プリンターの状態を確認したり、また、表示内容を見て各装置の操作を行ったりしている。
【０００３】
【発明が解決しようとする課題】
しかしながら、上述したようにイメージスキャナを装着時、イメージスキャナ、プリンター共に表示部が備えられているために、ユーザはどちらの表示をみればよいかがわからないために誤操作や間違った認識をしてしまう場合があった。
【０００４】
また、これらにより装置にエラーが生じ、どちらかに表示内容を表示した場合に、ユーザがエラーに気づかないという問題があった。
【０００５】
【課題を解決するための手段】
本発明によれば画像読み取り装置が装着された場合には画像記録装置の表示内容を切り換え、画像読み取り装置の表示部の表示内容と画像記録装置の表示部の表示内容を同内容にする。
【０００６】
または画像読み取り装置の表示部の表示内容と画像記録装置の表示部の表示内容、どちらを確認すればよいかを表示する。
【０００７】
【発明の実施の形態】
以下に、本発明の実施の形態を図面に基づいて説明する。
【０００８】
実施例１
以下、本実施例を図面に基づき説明する。
【０００９】
図１は電子写真プロセスを用いた画像記録装置の概略構成図であり、例えばレーザビームプリンタの場合を示している。
【００１０】
レーザビームプリンタ本体１０１（以下、本体１０１）は、記録紙Ｓを収納するカセット１０２を有し、カセット１０２の記録紙Ｓの有無を検知するカセット有無センサ１０３、カセット１０２の記録紙Ｓのサイズを検知するカセットサイズセンサ１０４（複数個のマイクロスイッチで構成される）、カセット１０２から記録紙Ｓを繰り出す給紙ローラ１０５等が設けられている。そして、給紙ローラ１０５の下流には記録紙Ｓを同期搬送するレジストローラ対１０６が設けられている。また、レジストローラ対１０６の下流にはレーザスキャナ部１０７からのレーザ光に基づいて記録紙Ｓ上にトナー像を形成するカートリッジ１０８が設けられている。さらに、カートリッジ１０８の下流には記録紙Ｓ上に形成されたトナー像を熱定着する定着器１０９が設けられており、定着器１０９の下流には排紙部の搬送状態を検知する排紙センサ１１０、記録紙Ｓを排紙する排紙ローラ１１１、記録の完了した記録紙Ｓを積載する積載トレイ１１２が設けられている。
【００１１】
また、前記レーザスキャナ１０７は、後述する外部装置１３１から送出される画像信号（画像信号ＶＤＯ）に基づいて変調されたレーザ光を発光するレーザユニット１１３、このレーザユニット１１３からのレーザ光を後述する感光ドラム１１７上に走査するためのポリゴンモータ１１４、結像レンズ１１５、折り返しミラー１１６等により構成されている。
【００１２】
また、メインモータ１２３は、給紙ローラ１０５には給紙ローラクラッチ１２４を介して、レジストローラ対１０６にはレジストローラ１２５を介して駆動力を与えており、更に感光ドラム１１７を含むカートリッジ１０８の各ユニット、定着器１０９、排紙ローラ１１１にも駆動力を与えている。
【００１３】
そして１２６はエンジンコントローラであり、レーザスキャナ部１０７、カートリッジ１０８、定着器１０９による電子写真プロセスの制御、前記本体１０１内の記録紙の搬送制御を行っている。
【００１４】
そして、１２７はビデオコントローラであり、パーソナルコンピュータ等の外部装置１３１と汎用のインタフェース（セントロニクス、ＲＳ２３２Ｃ等）１３０で接続されており、この汎用インタフェースから送られてくる画像情報をビットデータに展開し、そのビットデータをＶＤＯ信号として、エンジンコントローラ１２６へ送出している。
【００１５】
そして、前記カートリッジ１０８内は、公知の電子写真プロセスに必要な、感光ドラム１１７、１次帯電ローラ１１９、現像器１２０、転写帯電ローラ１２１、クリーナ１２２、から構成されている。
【００１６】
また、１４０は操作部でビデオコントローラ１２７に接続されており、ビデオコントローラ１２７からの情報によりプリンターの状況、状態を示す。
【００１７】
また、２０１は着脱式可能なイメージスキャナであり２０２は複写すべき原稿を載置する原稿台ガラスであり、２０３は載置した原稿を押さえる原稿圧板であり、２０４は操作部である。
【００１８】
表示部は画像読取装置２０１或いは本体１０１の状態を表示する。
【００１９】
また、２０８は原稿を照射する露光ランプであり、２０９、２１０、２１１は露光ランプによって照射された原稿からの反射光をイメージセンサ２１２に結像させるためのミラーであり、２１３はその光学系に配置した結像レンズであり、２１４はイメージセンサ２１２からの画像信号に原稿を忠実に再現するように各種補正をかけ、レーザを点灯させるための多値の画像データを生成する画像データ生成部である。
【００２０】
また、イメージスキャナ２０１をコントロールするイメージスキャナコントローラ２０５により制御を行っている。
【００２１】
また、２０５と１２６は接続されており、イメージスキャナ２０１と本体１０１は通信制御を行っており、本体１０１はイメージスキャナ２０１の状態を常時監視している。
【００２２】
図２（ａ）は本体１０１の操作部１４０を示す。操作部１４０は液晶等による表示部１４０ａ、テンキー１４０ｂ１〜ｂ３等で構成されている。
【００２３】
図２（ｂ）はイメージスキャナ２０１の操作部２０４を示す。操作部２０４は液晶等による表示部２０４ａ、テンキー２０４ｂ１〜ｂ５等で構成されている。
【００２４】
通常、イメージスキャナの表示部は本体の表示部よりも大きくいため、本体側の表示はユーザにとって最低限必要な表示をする。
【００２５】
図３は操作部１４０の詳細を示す図である。
【００２６】
この図において表示部１４０ａは液晶ユニット１４０ｃ、液晶ユニット１４０ｃを駆動するための液晶ドライバＩＣ１４０ｄ、により構成されており、液晶ドライバＩＣ１４０ｄはエンジンコントローラ１２６内のＣＰＵ１２６ａに制限抵抗１５０ｂ１〜ｂ５を介して接続されておりＣＰＵ１２６ａにより所定の制御を行っている。また、テンキー１４０ｂ１〜１４０ｂ３は各プルアップ抵抗１５１ｂ１〜１５１ｂ３を介してＶｄｃへ、制限抵抗１５２ｂ１〜１５２ｂ３を介してＣＰＵ１２６ａに接続されており、テンキー１４０ｂ１〜１４０ｂ３が押されたかを検知している。
【００２７】
また、ＣＰＵ１２６ａはビデオコントローラ１２７と接続されており、１２７からの信号ＣＬＫ信号、ＳＴＳ信号、ＣＭＤ信号、ＣＳ信号が制限抵抗１２６ｂ１〜１２６ｂ３によって制御を行っている。
【００２８】
このように操作部１４０の制御はビデオコントローラ１２７からエンジンコントローラ１２６内のＣＰＵ１２６ａへ所定の通信制御信号で、更にＣＰＵ１２６ａから液晶ドライバＩＣ１４０ｄへ所定の通信制御信号により、行っている。
【００２９】
図４はイメージスキャナ２０１の操作部２０４の詳細を示す図である。
【００３０】
この図において表示部２０４ａは液晶ユニット２０４ｃ、液晶ユニット２０４ｃを駆動するための液晶ドライバＩＣ２０４ｄ、により構成されており、液晶ドライバＩＣ２０４ｄはイメージスキャナコントローラ２０５内のＣＰＵ２０５ａに制限抵抗２５０ｂ１〜ｂ５を介して接続されておりＣＰＵ１２６ａにより所定の制御を行っている。また、テンキー２０４ｂ１〜２０４ｂ５は各プルアップ抵抗２５１ｂ１〜２５１ｂ５を介してＶｄｃへ、制限抵抗２５２ｂ１〜２５２ｂ５を介してＣＰＵ２０５ａに接続されており、テンキー２０４ｂ１〜２０４ｂ５が押されたかを検知している。
【００３１】
また、ＣＰＵ２０５ａは本体１０１を介してビデオコントローラ１２７と接続されており、１２７からの信号ＣＬＫ信号、ＳＴＳ信号、ＣＭＤ信号、ＣＳ信号が制限抵抗２０５ｂ１〜２０５ｂ３によって制御を行っている。
【００３２】
このように操作部２０４の制御はビデオコントローラ１２７からイメージスキャナコントローラ２０５内のＣＰＵ２０４ａへ所定の通信制御信号で、更にＣＰＵ２０４ａから液晶ドライバＩＣ２０４ｄへ所定の通信制御信号により、行っている。
【００３３】
図５は本実施例を示すフローチャートである。
【００３４】
まず、電源ＯＮ（Ｓ１）すると、ビデオコントローラ１２７より本体表示部１４０ａを表示させる初期コマンド信号を送信し（Ｓ２）、本体表示部１４０ａの初期画面を表示する（Ｓ３）。そして次にイメージスキャナ２０１が接続されているか判断し（Ｓ２１）、接続されていなければ通常の表示制御を行い（Ｓ２２）、接続されていれば、ビデオコントローラ１２７よりイメージスキャナ表示部２０４ａを表示させる初期コマンド信号を送信し（Ｓ４）、本体表示部１４０ａに表示した表示画面を含んだイメージスキャナ表示部の初期画面を表示する（Ｓ５）。次に本体操作部１４０のテンキー１４０ｂ１〜１４０ｂ３、或いはイメージスキャナ操作部２０４のテンキー２０４ｂ１〜２０４ｂ５が押されたか否かを検知し（Ｓ６）、押された場合はビデオコントローラ１２７からキーの状態により所定のコマンドを送信し（Ｓ７）、本体表示部１４０ａの画面を表示する（Ｓ８）。次にビデオコントローラ１２７からキーの状態により本体表示部１４０ａに表示した表示画面を含んだ所定のコマンドを送信し（Ｓ９）、イメージスキャナ表示部２０４ａの画面を表示する（Ｓ１０）
次にパーソナルコンピュータ等の外部装置１３１からプリントの指示がきたかどうかを判断し（Ｓ１１）、プリント信号がくれば、ビデオコントローラ１２７からプリント時に表示する所定のコマンドを送信し（Ｓ１２）、本体表示部１４０ａの画面を表示する（Ｓ１３）。次にビデオコントローラ１２７からプリント時に表示する本体表示部１４０ａに表示した表示画面を含んだ所定のコマンドを送信し（Ｓ１４）、イメージスキャナ表示部２０４ａの画面を表示する（Ｓ１５）。
【００３５】
次に本体１０１及びイメージスキャナ２０１でエラーが発生したかを判断し（Ｓ１６）、エラーが発生した場合はビデオコントローラ１２７からエラー時に表示する所定のコマンドを送信し（Ｓ１７）、本体表示部１４０ａの画面を表示する（Ｓ１８）。次にビデオコントローラ１２７からプリント時に表示する本体表示部１４０ａに表示した表示画面を含んだ所定のコマンドを送信し（Ｓ１９）、イメージスキャナ表示部２０４ａの画面を表示して（Ｓ２０）Ｓ６へ戻る。Ｓ６でテンキー１４０ｂ１〜１４０ｂ３、或いはイメージスキャナ操作部２０４のテンキー２０４ｂ１〜２０４ｂ５が押されていなければＳ１１へ進む。また、Ｓ１１でプリント指示がなければＳ１６へ進む。また、Ｓ１６でエラーが発生していなければＳ６へ進む。
【００３６】
上記説明した通り、プリンター本体の表示部の表示内容とイメージスキャナの表示部の表示内容を同内容にする。
【００３７】
実施例２
本実施例は全体的な構成は実施例１とほとんど同じであるが実施例１では表示内容を同じ内容にしていたのに対し、実施例２ではどちらか一方に表示をし、もう一方にはもう一方に表示してある旨を表示するものである。
【００３８】
実施例２についてフローチャートをもとに説明する。
【００３９】
本実施例のフローチャートを示したものが図６である。
【００４０】
まず、電源をＯＮ（Ｓ３１）すると、ビデオコントローラ１２７より本体表示部１４０ａを表示させる初期コマンド信号を送信し（Ｓ３２）、本体表示部１４０ａの初期画面を表示する（Ｓ３３）。そして次にイメージスキャナ２０１が接続されているか判断し（Ｓ５１）、接続されていなければ通常の表示制御を行い（Ｓ５２）、接続されていれば、ビデオコントローラ１２７よりイメージスキャナ表示部２０４ａに本体表示部１４０ａをみるといった内容を表示させる初期コマンド信号を送信し（Ｓ３４）、画面を表示する（Ｓ３５）。
【００４１】
次に本体操作部１４０のテンキー１４０ｂ１〜１４０ｂ３、或いはイメージスキャナ操作部２０４のテンキー２０４ｂ１〜２０４ｂ５が押されたか否かを検知し（Ｓ３６）、押された場合はビデオコントローラ１２７からキーの状態により所定のコマンドを送信し（Ｓ３７）、本体表示部１４０ａの画面を表示する（Ｓ３８）。
【００４２】
次にパーソナルコンピュータ等の外部装置１３１からプリントの指示がきたかどうかを判断し（Ｓ３９）、プリント信号がくれば、ビデオコントローラ１２７からプリント時に表示する所定のコマンドを送信し（Ｓ４０）、本体表示部１４０ａの画面を表示する（Ｓ４１）。
【００４３】
次に本体１０１及びイメージスキャナ２０１でエラーが発生したかを判断し（Ｓ４２）、エラーが発生した場合はビデオコントローラ１２７からエラー時に表示する所定のコマンドを送信し（Ｓ４３）、本体表示部１４０ａの画面を表示して（Ｓ４４）Ｓ３６へ戻る。
【００４４】
Ｓ３６でテンキー１４０ｂ１〜１４０ｂ３、或いはイメージスキャナ操作部２０４のテンキー２０４ｂ１〜２０４ｂ５が押されていなければＳ３９へ進む。また、Ｓ３９でプリント指示がなければＳ４２へ進む。また、Ｓ４２でエラーが発生していなければＳ３６へ進む。
【００４５】
上記説明した通り、プリンター本体の表示部の表示内容には所定の表示を、イメージスキャナの表示部の表示部にはプリンターの表示部をみるように示す表示を行うようにする。
【００４６】
なお、本実施例ではプリンター本体の表示部の表示内容には所定の表示を、イメージスキャナの表示部の表示部にはプリンターの表示部をみるように示す表示を行うといった内容で説明したが、表示内容をプリンター本体の表示部の表示内容にはイメージスキャナの表示部をみるように示す所定の表示を、イメージスキャナの表示部の表示部には所定の表示を行うといった内容でもよい。
【００４７】
【発明の効果】
本発明によれば、画像読み取り装置が装着された場合には画像記録装置の表示内容を切り換え、画像読み取り装置の表示部の表示内容と画像記録装置の表示部の表示内容を同内容にしたり、画像読み取り装置の表示部の表示内容と画像記録装置の表示部の表示内容、どちらを確認すればよいかを表示する。
【００４８】
このように表示内容を明確にすることでユーザビリティ−の向上とユーザの誤認識をなくすることが可能になる。
【図面の簡単な説明】
【図１】本発明における画像読み取り装置と画像記録装置の概略図。
【図２】本発明における本体１０１の操作部１４０及びイメージスキャナ２０１の操作部２０４を示す図。
【図３】本発明における操作部１４０の詳細を示す図。
【図４】本発明におけるイメージスキャナ２０１の操作部２０４の詳細を示す図。
【図５】本発明実施例１を示すフローチャート。
【図６】本発明実施例２を示すフローチャート。
【符号の説明】
１０１  本体
１４０  本体１０１の操作部
１４０ａ  表示部
１４０ｃ  液晶ユニット
１４０ｄ  液晶ユニット１４０ｃを駆動するための液晶ドライバ
２０１  イメージスキャナ
２０４  イメージスキャナ操作部
２０４ａ  表示部
２０４ｃ  液晶ユニット
２０４ｄ  液晶ユニット２０４ｃを駆動するための液晶ドライバ
【図１】
2004312096.tif 000003
【図２】
2004312096.tif 000004
【図３】
2004312096.tif 000005
【図４】
2004312096.tif 000006
【図５】
2004312096.tif 000007
【図６】
2004312096.tif 000008